(57)【特許請求の範囲】
【請求項１】
電池の挿入・取出し用の開口を有し且つ電池を収納する筐体本体と、前記開口の蓋が開成されたとき前記筐体本体に収納されている電池を前記開口から排出させる排出機構とを備え、
この排出機構は、前記筐体本体の側壁に電池の挿入・取出し方向に沿って移動可能なイジェクトレバーと、このイジェクトレバーを前記開口方向へ付勢する弾性部材と、前記筐体本体内に配置されるとともに前記イジェクトレバーと一体となって移動する当接部とを有し、前記蓋が開成されたとき、前記イジェクトレバー及び当接部が弾性部材によって開口側へ移動して該当接部が筐体本体内の電池を前記開口から排出させる電池収納筐体であって、
前記筐体本体内に電池を収納したとき、この収納によって移動される前記イジェクトレバーの移動位置から収納された電池の種類を判別することを特徴とする電池収納筐体。
【請求項２】
前記イジェクトレバーが所定位置へ移動したとき、これを検知する検知部材を設け、この検知部材の検知に応じて前記電池の種類を判別することを特徴とする請求項１に記載の電池収納筐体。
【請求項３】
前記電池の誤挿入を防止する誤挿入防止手段を設けたことを特徴とする請求項１または請求項２に記載の電池収納筐体。
【請求項４】
前記誤挿入防止手段は、前記筐体本体内に設けた突起部を有し、電池が誤挿入されたときその突起部により該電池の一部が前記開口から突出することを特徴とする請求項３に記載の電池収納筐体。
【発明の詳細な説明】
【技術分野】
【０００１】
この発明は、例えばデジタルスチルカメラやビデオカメラなどに搭載する電池収納筐体に関する。
【背景技術】
【０００２】
従来から、ユーザの利便性の向上や事故防止の観点から、ユーザの手動や電池の自重によらずに電池を電池室から取り出せるようにした電池収納筐体が知られている（特許文献１参照）。
【０００３】
かかる電池収納筐体は、電池の収納方向に沿って形成されたガイドスリットを有する筐体本体と、この筐体本体の外側に配置されたイジェクトレバーとを備え、このイジェクトレバーをスプリングで筐体本体の開口側へ付勢し、筐体本体内に当接部を配置し、この当接部とイジェクトレバーの先端部とをガイドスリット内に配置されたガイド部で連結し、筐体本体の開口が開放されたとき、イジェクトレバー及び当接部をスプリングの付勢力によって開口側へ移動させることにより、筐体本体内に収納された電池を開口から排出するようにしたものである。
【発明の概要】
【発明が解決しようとする課題】
【０００４】
ところで、筐体本体に異なる種類の電池を収納できるようにして、いずれの電池でも動作可能としたものがあり、この場合、たとえば電圧の異なる電池を収納する場合には、機器を正常に動作させるために、電池の種類を判別する判別機構を設ける必要がある。
【０００５】
この発明の目的は、専用の判別機構を設けることなく、収納された電池の種類を判別することができ、しかもユーザの手動や電池の自重によらずに電池を取り出すことのできる電池収納筐体を提供することにある。
【課題を解決するための手段】
【０００６】
請求項１の発明は、電池の挿入・取出し用の開口を有し且つ電池を収納する筐体本体と、前記開口の蓋が開成されたとき前記筐体本体に収納されている電池を前記開口から排出させる排出機構とを備え、
この排出機構は、前記筐体本体の側壁に電池の挿入・取出し方向に沿って移動可能なイジェクトレバーと、このイジェクトレバーを前記開口方向へ付勢する弾性部材と、前記筐体本体内に配置されるとともに前記イジェクトレバーと一体となって移動する当接部とを有し、前記蓋が開成されたとき、前記イジェクトレバー及び当接部が弾性部材によって開口側へ移動して該当接部が筐体本体内の電池を前記開口から排出させる電池収納筐体であって、
前記筐体本体内に電池を収納したとき、この収納によって移動される前記イジェクトレバーの移動位置から収納された電池の種類を判別する。
【発明の効果】
【０００７】
この発明によれば、専用の判別機構を設けずに、収納された電池の種類を判別することができ、しかもユーザの手動や電池の自重によらずに電池を取り出すことができる。
【図面の簡単な説明】
【０００８】
【図１】この発明に係る電池収納筐体を搭載したデジタルスチルカメラを示した外観図である。
【図２】電池の挿入の仕方を示したデジタルスチルカメラの説明図である。
【図３】この発明に係る電池収納筐体の構成を概念的に示した断面図である。
【図４】図３に示す電池収納筐体の平面図である。
【図５】図３の電池収納筐体のイジェクトレバーを示した側面図である。
【図６】図５に示すイジェクトレバーの正面図である。
【図７】電池収納筐体の排出機構によって電池が排出される状態を示した説明図である。
【図８】収納ケースに別の電池が収納された状態を示した説明図である。
【図９】収納ケースに別の電池が収納された場合のイジェクトレバーのスライド部とマイクロスイッチとの関係を示した説明図である。
【図１０】電池収納筐体の排出機構によって別な電池が排出される状態を示した説明図である。
【図１１】イジェクトレバーのスライド部の他の形状を示した説明図である。
【図１２】イジェクトレバーのスライド部の別な他の形状を示した説明図である。
【図１３】第２実施例の電池収納筐体を示した説明図である。
【図１４】第２実施例の電池収納筐体のケースに別な電池を収納した状態を示した説明図である。
【図１５】逆方向に誤挿入した電池の状態を示した説明図である。
【図１６】逆方向に誤挿入した別な電池の状態を示した説明図である。
【図１７】第３実施例の電池収納筐体を示した説明図である。
【図１８】第３実施例の電池収納筐体のケースに別な電池を収納した状態を示した説明図である。
【図１９】図１７に示す電池収納筐体のケースに逆方向に誤挿入した電池の状態を示した説明図である。
【図２０】図１７に示す電池収納筐体のケースに逆方向に別な電池を誤挿入した状態を示した説明図である。
【図２１】第４実施例の電池収納筐体を示した説明図である。
【図２２】図２１のＡ−Ａ線に沿う断面図である。
【図２３】図２１の電池収納筐体の一部を示した部分平断面図である。
【図２４】電池の誤挿入を示した説明図である。
【図２５】別な電池を第４実施例の電池収納筐体のケースに収納した状態を示した説明図である。
【図２６】第４実施例の他の例を示した説明図である。
【図２７】図２６の部分平断面図である。
【図２８】第４実施例の別な他の例を示した説明図である。
【発明を実施するための形態】
【０００９】
以下、この発明に係る電池収納筐体の実施の形態である実施例を図面に基づいて説明する。
【実施例】
【００１０】
［第１実施例］
図１および図２に示すデジタルスチルカメラ１は、カメラ本体２の前面に設けたレンズ部３を有し、カメラ本体２の下面には、電池（蓄電池Ａ）４を挿入する開口５が形成され、この開口５を開閉する蓋６が設けられている。蓋６にはロックボタン７が設けられており、このロックボタン７をスライド移動させることにより、ロックが解除されて蓋６を開成することができるようになっている。
【００１１】
カメラ本体２内には、電池収納筐体１０（図３参照）と、撮影に必要な各種の動作を行わせる図示しない電子部品などとが設けられている。この電子部品は電池収納筐体１０に収納された電池４によって動作する。
【００１２】
電池収納筐体１０は、図３に示すように、電池室１１を形成するとともに開口５を有するケース（筐体本体）１２と、このケース１２に設けられた排出機構２０とを備えている。なお、説明の便宜上、ロックボタン７を概念的に示す。
【００１３】
ケース１２の一側壁１２Ａには、電池４を出し入れする方向（図３において左右方向）に延びたガイド孔１３が形成され、このガイド孔１３の近傍にはマイクロスイッチ１４が設けられている。また、その一側壁１２Ａの開口５の近傍にはフック部１５が設けられている。
【００１４】
ケース１２内には、電池４の電極に接続される電極端子(図示せず)が設けられている。
【００１５】
排出機構２０は、ガイド孔１３に沿って移動可能なイジェクトレバー２１と、このイジェクトレバー２１を開口５方向へ付勢するスプリング３０とを有している。
【００１６】
イジェクトレバー２１は、図５及び図６に示すように、板状のスライド部２２と、このスライド部２２の先端部の下面（図５において）にガイド部２３を介して一体形成された当接部２４とを有している。
【００１７】
スライド部２２の後部の上面（図３において）にフック２５が形成され、このフック２５にはスプリング３０の一端が係止され、スプリング３０の他端がケース１２のフック部１５に係止されている。このスプリング３０の付勢力によりイジェクトレバー２１は開口５方向へ付勢されている。
【００１８】
一方、イジェクトレバー２１のガイド部２３は図３に示すようにケース１２のガイド孔１３に挿入され、当接部２４はケース１２内に配置されて電池４の先端面４Ａに当接し、電池４を排出方向（開口５方向）へ押圧している。
【００１９】
当接部２４は、電池４とは別な電池（蓄電池Ｂ）４４（図８参照）、例えば蓄電池Ａと電圧の異なる蓄電池Ｂである場合、蓄電池Ｂである電池４４の先端部に設けた凹部４４Ａに挿入するように設定されている。
【００２０】
ロックボタン７の操作により蓋６のロックが解除されると、図７に示すように、イジェクトレバー２１がスプリング３０の付勢力によって右方向に移動し、この右方向への移動によってイジェクトレバー２１の当接部２４が電池４を開口５から排出させることになる。すなわち、電池４の自重によらず電池４を開口５から排出することができる。
【００２１】
マイクロスイッチ１４は、イジェクトレバー２１のスライド部２２が図３及び図４に示す所定位置にきたとき、これを検知してオンするものである。つまり、電池４が図３に示すようにケース１２の電池室１１に収納されたとき、マイクロスイッチ１４はスライド部２２を検知してオンするようになっている。
【００２２】
また、電池４が電池室１１に収納されると、電池４の電極がケース１２内の電極端子(図示せず)に接続されることになる。
【００２３】
電池４の替わりに別な電池４４を図８に示すようにケース１２の電池室１１に収納すると、電池４４の凹部４４Ａにイジェクトレバー２１の当接部２４が挿入される。このため、イジェクトレバー２１のスライド部２２が図９に示す実線の位置で停止し、鎖線の位置（所定位置）まで移動しないことになる。 このため、マイクロスイッチ１４はオフとなる。
【００２４】
このように、電池４のときにはマイクロスイッチ１４はオンし、電池４４のときにはマイクロスイッチ１４はオフするので、マイクロスイッチ１４のオン・オフによって、電池４,４４を識別することができることになる。しかも、マイクロスイッチ１４は、電池４,４４を排出するイジェクトレバー２１のスライド部２２の検知でオン・オフするものであるから、電池４,４４を識別するための専用の機構を設ける必要がない。
【００２５】
図８に示すように、電池４４がケース１２の電池室１１に収納された場合、電池４と同じ状態に収納されるので、電池４４の電極がケース１２内の電極端子に接続される。
【００２６】
ロックボタン７のロックを解除すると、蓋６は開成可能となるので、図１０に示すように、イジェクトレバー２１の当接部２４がスプリング３０の付勢力によって電池４４をケース１２の開口５から排出させ、電池４４の自重によらず電池４４を開口５から排出することができる。
【００２７】
図１１及び図１２は、イジェクトレバー２１の他の例を示すものであり、イジェクトレバー２１のスライド部２２に凹部２２Ａや突部２２Ｂを設け、この凹部２２Ａや突部２２Ｂをマイクロスイッチ１４で検知して収納されている電池４,４４を識別するようにしたものである。
【００２８】
第１実施例によれば、イジェクトレバー２１の位置によって電池４,４４の判別が行なえるため、電池を排出するためのイジェクトレバー２１とは別個に電池判別用の専用のスイッチング構造を設ける必要がない。このため、電池収納筐体１０の空間占有率を下げることができ、また部品点数を少なくすることができるので、コストの削減を図ることができる。
［第２実施例］
図１３は第２実施例の電池収納筐体１００を示す。第２実施例では、ケース１２の天板壁部１２Ｔに誤挿入防止用の突起部（誤挿入防止手段）１０１を設けたものである。
【００２９】
電池収納筐体１００は、異なる電池（蓄電池Ａ）５４,（蓄電池Ｂ）６４（図１４参照）を識別できるようにしたものであり、電池５４は凹部５４Ａを有している。電池６４は、凹部５４Ａより左右方向（図１３及び図１４において）の幅が狭い凹部６４Ａを有している。
【００３０】
イジェクトレバー１２１の当接部１２４全体が電池５４の凹部５４Ａ内に入り込むが、図１４に示すように、当接部１２４は電池６４の凹部６４Ａ内に半分ほど入るように設定されている。
【００３１】
マイクロスイッチ１１４は、図１４に示すように電池６４がケース１２に収納されるとイジェクトレバー１２１のスライド部２２を検知してオンし、図１３に示すように電池５４がケース１２に収納されるとスライド部２２を検知せずにオフのままとなる。
【００３２】
すなわち、第２実施例は、第１実施例と同様にマイクロスイッチ１１４のオン・オフによって電池５４,６４の種類を判別することができるようになっている。
【００３３】
ところで、突起部１０１の左右方向（図１３において）の幅と、当接部１２４の左右方向の幅と、電池５４（電池６４）の長さとの合計の長さはケース１２の電池室１１の左右方向の長さＬ０（図１９参照）より長く設定されている。
【００３４】
図１５に示すように、電池５４がケース１２内に逆（先端部と後端部が逆）に挿入されると、電池５４の後端５４ａがイジェクトレバー１２１の当接部１２４に当接し、さらに、この当接部１２４がケース１２内の突起部１０１に当接するので、上記の合計の長さが電池室１１の長さＬ０より長く設定されていることにより、電池５４の先端部５４Ｂがケース１２の開口５からはみ出すことになり、電池５４をケース１２内に収納することができなくなる。これにより、電池５４が誤挿入されたことが分かることになる。
【００３５】
図１６に示すように、電池６４が上記と同様にケース１２内に逆に挿入されると、電池６４の先端部６４Ｂがケース１２の開口５からはみ出し、電池６４を誤挿入したことが分かることになる。
【００３６】
電池５４,６４の裏表を逆にしてケース１２内に挿入した場合、すなわち、図１５及び図１６の鎖線で示す位置に凹部５４Ａ,６４Ａがくるように電池５４,６４をケース１２内に挿入した場合も電池の後部がケース１２の開口５からはみ出るので、電池５４,６４の誤挿入が分かることになる。
【００３７】
この第２実施例によれば、誤挿入防止用の突起部１０１を設けたので、電池誤挿入方向では、物理的に電池室１１への挿入や蓋６のロックなどが行えなくなるので、電池５４,６４の誤挿入を防止することができる。
【００３８】
この第２実施例も第１実施例と同様な効果を得ることができる。
［第３実施例］
図１７及び図１８は第３実施例の電池収納筐体２００を示す。電池収納筐体２００のイジェクトレバー２２１の当接部２２４は、直方体の基部２２４Ａと、この基部２２４Ａの右側面に一体形成されるとともに右方に突出した突部２２４Ｂとを有している。
【００３９】
一方、例えば電池（蓄電池Ａ）７４には、イジェクトレバー２２１の当接部２２４の基部２２４Ａが挿入される凹部７４Ａと、その当接部２２４の突部２２４Ｂが挿入される凹部７４Ｂとが形成されている。
【００４０】
他方、電池７４と異なる電池（蓄電池Ｂ）８４には、イジェクトレバー２２１の当接部２２４の基部２２４Ａが挿入される凹部８４Ａと、その当接部２２４の突部２２４Ｂが挿入される凹部８４Ｂとが形成されている。電池８４の凹部８４Ａは左右（図１８において）の幅Ｗ１は電池７４の凹部７４Ａの幅Ｗ２より小さく設定されている。
【００４１】
電池７４が図１７に示すようにケース１２内に収納されている場合、イジェクトレバー２２１の当接部２２４の基部２２４Ａ及び突部２２４Ｂが電池７４の凹部７４Ａ,７４Ｂに挿入されるので、イジェクトレバー２２１の左方向（図１７において）への移動は小さく、このためマイクロスイッチ２１４は、イジェクトレバー２２１のスライド部２２を検知せずにオフする。
【００４２】
電池８４が図１８に示すようにケース１２内に収納されている場合、イジェクトレバー２２１の当接部２２４の基部２２４Ａ及び突部２２４Ｂが電池８４の凹部８４Ａ,８４Ｂに挿入されるが、凹部８４Ａの幅Ｗ１が狭いので、当接部２２４は凹部８４Ａからはみ出た状態となる。このため、イジェクトレバー２２１は左方向へ図１７の場合より大きく移動するので、マイクロスイッチ２１４は、イジェクトレバー２２１のスライド部２２を検知してオンすることになる。
【００４３】
このように、マイクロスイッチ２１４のオン・オフによって電池７４,８４の種類を判別することができる。
【００４４】
ところで、図１９,２０に示すように、イジェクトレバー２２１の当接部２２４の長さＬ１と電池７４,８４の長さＬ２とを加算した値がケース１２の電池室１１の長さＬ０より大きく設定されている。
【００４５】
このため、電池７４が図１９に示すようにケース１２内に逆方向に挿入された場合、電池７４の後部がイジェクトレバー２２１の当接部２２４の突部２２４Ｂに当接して当接部２２４をケース１２の天板壁部１２Ｔに当接させるが、当接部２２４の長さＬ１と電池７４の長さＬ２とを加算した値がケース１２の電池室１１の長さＬ０より大きく設定されていることにより、電池７４の先端部がケース１２の開口５からはみ出す。これにより、電池７４の誤挿入が分かることになる。
【００４６】
同様に、電池８４が図２０に示すようにケース１２内に逆方向に挿入された場合、電池８４の先端部がケース１２の開口５からはみ出し、電池８４の誤挿入が分かることになる。
【００４７】
電池７４,８４の裏表を逆にしてケース１２内に挿入した場合も、第２実施例と同様に電池の後部がケース１２の開口５からはみ出るので、電池７４,８４の誤挿入が分かることになる。
【００４８】
つまり、当接部２２４が電池７４,８４の誤挿入を防止する誤挿入防止手段として機能する。
【００４９】
この第３実施例も、第１,第２実施例と同様な効果を得ることができる。
［第４実施例］
図２１ないし図２３は第４実施例の電池収納筐体３００を示す。電池収納筐体３００は、ケース１２の天板壁部１２Ｔと側壁１２Ｓとに渡って誤挿入防止用の突起部１２Ｈを形成したものである。
【００５０】
電池収納筐体３００は、電池（蓄電池Ａ）３０４の凹部３０４Ａに入り込むイジェクトレバー３２１の当接部３２４を有し、電池３０４が正しくケース１２内に収納されたとき、電池３０４の凹部３０４Ａには、図２１に示すように、イジェクトレバー３２１の当接部３２４とケース１２の突起部１２Ｈの一部が入り込むようになっている。
【００５１】
図２４に示すように、電池３０４が逆方向に挿入された場合、電池３０４の後端が突起１２Ｈに当接して電池３０４の先端部がケース１２の開口５からはみ出すようになっている。このはみ出しにより電池３０４の誤挿入を防止するものである。
【００５２】
電池収納筐体３００は、電池３０４と、電池３０４と異なる電池（蓄電池Ｂ）３４４（図２５参照）とを識別することができるようになっており、電池３４４の凹部３４４Ａの幅Ｗ３は電池３０４の凹部３０４Ａの幅Ｗ４より狭く設定されている。電池３０４が図２１に示すようにケース１２内に収納された場合、イジェクトレバー３２１の当接部３２４が電池３０４の凹部３０４Ａに挿入されるので、イジェクトレバー３２１の左方向（図２１において）への移動は小さく、このためマイクロスイッチ３１４は、イジェクトレバー３２１のスライド部２２を検知せずにオフする。
【００５３】
電池３４４が図２５に示すようにケース１２内に収納された場合、イジェクトレバー３２１の当接部３２４が電池３４４の凹部３４４Ａに挿入されるが、凹部３４４Ａの幅Ｗ３が電池３０４の凹部３０４Ａの幅Ｗ４より狭く設定されていることにより、当接部３２４は凹部３４４Ａからはみ出た状態となる。このため、イジェクトレバー３２１は左方向へ図２１の場合より大きく移動するので、マイクロスイッチ３１４は、イジェクトレバー３２１のスライド部２２を検知してオンすることになる。
【００５４】
このように、マイクロスイッチ３１４のオン・オフによって電池３０４,３４４を識別することができる。
【００５５】
電池３４４が逆方向に挿入された場合、電池３０４の逆方向の挿入と同様に（図２４参照）、電池３４４の後端が突起部１２Ｈに当接して電池３４４の先端部がケース１２の開口５からはみ出すので、電池３４４の誤挿入を防止することができる。
【００５６】
電池３０４,３４４の裏表を逆にしてケース１２に挿入した場合も、電池３４４の先端が突起１２Ｈに当接して電池３０４,３４４の後部がケース１２の開口５からはみ出すので、電池３０４,３４４の誤挿入を防止することができる。
【００５７】
すなわち、当接部３２４が電池３０４,３４４の誤挿入を防止する誤挿入防止手段として機能する。
【００５８】
この第４実施例でも、第１,第２実施例と同様な効果を得ることができる。
［他の例］
図２６及び図２７は、他の装置との干渉を回避するためにケース１２に側壁１２Ｓが設けられていない場合、天板壁部１２Ｔに誤挿入防止用の突起部１２Ｈ２を設けたものである。
【００５９】
この場合、図２８に示すように、イジェクトレバー３２１の当接部３２４に切欠３２４Ａを設けて、突起部１２Ｈ３との干渉を回避するようにしてもよい。
【００６０】
上記実施例はいずれも乾電池と蓄電池の２種類を識別するようにしているが、これに限らず、例えば電池の電圧も識別できるように、電池に設ける凹部の幅を電圧別に異ならせて、イジェクトレバーのスライド部の位置が電池の種類毎に異なるようにし、複数のマイクロスイッチでイジェクトレバーのスライド部の位置を検知することによって電池の種類を３種類以上識別できるようにしてもよい。
【００６１】
この発明は、上記実施例に限られるものではなく、特許請求の範囲の発明の要旨を逸脱しない限り、設計の変更や追加等は許容される。
【符号の説明】
【００６２】
４     電池
５     開口
６    蓋
１２    ケース（筐体本体）
１４    マイクロスイッチ（検知部材）
２０    排出機構
２１    イジェクトレバー
２４    当接部
３０    スプリング（弾性部材）
【先行技術文献】
【特許文献】
【００６３】
【特許文献１】特開２００８−１１７６１０号公報
【図１】
0005741333.tif 000002
【図２】
0005741333.tif 000003
【図３】
0005741333.tif 000004
【図４】
0005741333.tif 000005
【図５】
0005741333.tif 000006
【図６】
0005741333.tif 000007
【図７】
0005741333.tif 000008
【図８】
0005741333.tif 000009
【図９】
0005741333.tif 000010
【図１０】
0005741333.tif 000011
【図１１】
0005741333.tif 000012
【図１２】
0005741333.tif 000013
【図１３】
0005741333.tif 000014
【図１４】
0005741333.tif 000015
【図１５】
0005741333.tif 000016
【図１６】
0005741333.tif 000017
【図１７】
0005741333.tif 000018
【図１８】
0005741333.tif 000019
【図１９】
0005741333.tif 000020
【図２０】
0005741333.tif 000021
【図２１】
0005741333.tif 000022
【図２２】
0005741333.tif 000023
【図２３】
0005741333.tif 000024
【図２４】
0005741333.tif 000025
【図２５】
0005741333.tif 000026
【図２６】
0005741333.tif 000027
【図２７】
0005741333.tif 000028
【図２８】
0005741333.tif 000029